(57)【特許請求の範囲】
【請求項１】
それぞれ共通形状の複数の入力コネクタ及び複数の出力コネクタを有するディジタルミキサ、並びに、それぞれ共通形状のコネクタを有する複数の入力機器及び複数の出力機器から成り、ディジタルミキサの各入力乃至出力コネクタと各入力機器乃至出力機器のコネクタとの間に接続される通信ケーブルを介して、入力機器から入力コネクタへ或いは出力コネクタから出力機器へとディジタル音響信号が伝送されるシステムにおいて、
ディジタルミキサは、
入力コネクタ毎に、ミキサ入力コネクタ番号を表わす番号情報を含むミキサ入力ＩＤ情報を発生し、当該入力コネクタに接続される通信ケーブルに出力する入力ＩＤ発生手段と、
出力コネクタ毎に、ミキサ出力コネクタ番号を表わす番号情報を含むミキサ出力ＩＤ情報を発生し、当該出力コネクタに接続される通信ケーブルに出力する出力ＩＤ発生手段と
を具備し、
各入力機器は、
そのコネクタについて、通信ケーブルを介して機器が接続されている場合は、当該機器からのＩＤ情報を取得し、接続されていない場合には、未接続を表わすＩＤ情報を取得する第１ＩＤ取得手段と、
第１ＩＤ取得手段で取得されたＩＤ情報について、未接続を表わすか否かを判別する第１判別手段と、
第１判別手段により未接続を表わすものでないと判別されたＩＤ情報について、ミキサ入力ＩＤ情報であるか否かを判別する第２判別手段と、
第１判別手段により未接続を表わすと判別されたときに未接続である旨を表示し、第２判別手段によりミキサ入力ＩＤ情報でないと判別されたときは誤接続である旨を表示し、第２判別手段によりミキサ入力ＩＤ情報であると判別されたときには当該ミキサ入力ＩＤ情報に含まれる番号情報に基づいてミキサ入力コネクタ番号を表示する第１表示手段と
を具備し、
各出力機器は、
そのコネクタについて、通信ケーブルを介して機器が接続されている場合は、当該機器からのＩＤ情報を取得し、接続されていない場合には、未接続を表わすＩＤ情報を取得する第２ＩＤ取得手段と、
第２ＩＤ取得手段で取得されたＩＤ情報について、未接続を表わすか否かを判別する第３判別手段と、
第３判別手段により未接続を表わすものでないと判別されたＩＤ情報について、ミキサ出力ＩＤ情報であるか否かを判別する第４判別手段と、
第３判別手段により未接続を表わすと判別されたときに未接続である旨を表示し、第４判別手段によりミキサ出力ＩＤ情報でないと判別されたときは誤接続である旨を表示し、第４判別手段によりミキサ出力ＩＤ情報であると判別されたときには当該ミキサ出力ＩＤ情報に含まれる番号情報に基づいてミキサ出力コネクタ番号を表示する第２表示手段と
を具備する
ことを特徴とするディジタルミキサ接続確認システム。
【請求項２】
それぞれ共通形状の複数の入力コネクタ及び複数の出力コネクタを有するディジタルミキサ、並びに、それぞれ共通形状のコネクタを有する複数の入力機器及び複数の出力機器から成り、ディジタルミキサの各入力乃至出力コネクタと各入力機器乃至出力機器のコネクタとの間に接続される通信ケーブルを介して、入力機器から入力コネクタへ或いは出力コネクタから出力機器へとディジタル音響信号が伝送されるシステムにおいて、
各入力機器は、当該入力機器の機種情報を含む入力機器ＩＤ情報を発生し、そのコネクタに接続される通信ケーブルに出力する入力機器ＩＤ発生手段を具備し、
各出力機器は、当該出力機器の機種情報を含む出力機器ＩＤ情報を発生し、そのコネクタに接続される通信ケーブルに出力する出力機器ＩＤ発生手段を具備し、
ディジタルミキサは、
各入力乃至出力コネクタについて、通信ケーブルを介して機器が接続されている場合は、当該機器からのＩＤ情報を取得し、接続されていない場合には、未接続を表わすＩＤ情報を取得するＩＤ取得手段と、
ＩＤ取得手段で取得された各入力乃至出力コネクタのＩＤ情報について、未接続を表わすか否かを判別する第１判別手段と、
第１判別手段により未接続を表わすものでないと判別された各入力コネクタのＩＤ情報について、入力機器ＩＤ情報であるか否かを判別する第２判別手段と、
第１判別手段により未接続を表わすものでないと判別された各出力コネクタのＩＤ情報について、出力機器ＩＤ情報であるか否かを判別する第３判別手段と、
第１判別手段により未接続を表わすと判別されたときに、当該入力乃至出力コネクタが未接続である旨を表示し、第２判別手段により入力機器ＩＤ情報でないと判別されたとき、又は、第３判別手段により出力機器ＩＤ情報でないと判別されたときは、当該入力又は出力コネクタが誤接続である旨を表示し、第２判別手段により入力機器ＩＤ情報であると判別されたときには、当該入力機器ＩＤ情報に含まれる機種情報に基づいて、当該入力コネクタに接続された入力機器の機種名乃至機種番号を表示し、第３判別手段により出力機器ＩＤ情報であると判別されたときには、当該出力機器ＩＤ情報に含まれる機種情報に基づいて、当該出力コネクタに接続された出力機器の機種名乃至機種番号を表示する表示手段と
を具備する
ことを特徴とするディジタルミキサ接続確認システム。
【発明の詳細な説明】
【０００１】
【発明の属する技術分野】
この発明は、ディジタルミキサ接続確認システム、より詳細には、多数の入力／出力コネクタの接続状態を確認するためのディジタルミキサ接続確認システムに関する。
【０００２】
【従来の技術】
一般に、スタジオやコンサートホール等の演奏会場においては、“ＰＡ（Public Address）”と通称される音響信号処理システムによって多数の入／出力音響信号の処理を行っている。このような音響信号処理システムにおいては、例えば、図１に示すように、マイクや電子楽器を含む多数の音響信号入力機器Ｉ１〜Ｉ７及びサウンドシステム等の多数の音響信号出力機器Ｏ１〜Ｏ５が、演奏会場の種々の箇所に演奏環境に応じて任意不定に配置される。これらの入／出力機器夫々について入／出力音響信号を処理するディジタルミキサＤＭは、多数の音響信号入／出力用コネクタ及びケーブルを介してこれらの入／出力機器Ｉ１〜Ｉ７，Ｏ１〜Ｏ５と相互接続され通信するようになっている。
【０００３】
従来、この種の音響信号処理システムにおいては、図２に示されるように、ディジタルミキサＤＭに備えられた多数の音響信号入／出力用コネクタＭＣｉ，ＭＣｏは、ディジタル音響信号入／出力用通信ケーブルＣＢｉ，ＣＢｏを介して、演奏会場の状況に応じて必要な箇所に配置された多数の音響信号入／出力機器に夫々備えられたアナログディジタル（ＡＤ：Analog-to-Digital ）変換ユニットＩＵ１〜ＩＵｘ及びディジタルアナログ（ＤＡ：Digital-to-Analog ）変換ユニットＯＵ１〜ＯＵｙの出／入力用コネクタＩＣｏ，ＯＣｉに夫々接続される。
【０００４】
この場合、通常、
（１）ＡＤ、ＤＡ両変換ユニットの出／入力用コネクタＩＣｏ，ＯＣｉ及び入／出力用通信ケーブルＣＢｉ，ＣＢｏが共通の形状をもつ場合と、
（２）ディジタルミキサＤＭとＡＤ、ＤＡ各変換ユニットとの間で、コネクタＭＣｉ，ＩＣｏ；ＭＣｏ，ＯＣｉ及び通信ケーブルＣＢｉ；ＣＢｏの形状が異なる場合と
があるが、
（１）の場合は、コネクタ及び通信ケーブルの形状が共通であることに因り、ディジタルミキサＤＭとＡＤ変換ユニット（ＩＵ）との間、及び、ディジタルミキサＤＭとＤＡ変換ユニット（ＯＵ）との間の接続を間違えると、ディジタルミキサＤＭから音響信号が出力しないという事態を生じ、また、
（２）の場合は、例えば、ＡＤ変換ユニット（ＩＵ）をディジタルミキサＤＭの本来接続すべきコネクタ（或るＭＣｉ）とは異なるコネクタ（別のＭＣｉ）に挿入した際、ディジタルミキサＤＭに音響信号が実際に入力されて初めて、誤接続状態であることが分かる
ことになる。
【０００５】
【発明が解決しようとする課題】
この発明は、このような不都合に鑑み、ディジタルミキサの多数のコネクタに対して任意不定に接続可能な多数の音響信号入／出力機器（単に「音響機器」ということがある。）のコネクタを、これらの音響信号入／出力機器の設置状況に応じて、所定のディジタルミキサコネクタに接続しなければならない音響信号処理システムにおいて、両コネクタ間を接続する際、簡単な構成に拘わらず、誤接続をいち速く確実に発見することができるディジタルミキサ接続確認システムを提供することを目的とする。
【０００６】
【課題を解決するための手段】
この発明の１つの特徴に従うと、それぞれ共通形状の複数の入力コネクタ（１５ｉ：１５１〜１５１０）及び複数の出力コネクタ（１７ｊ：１７１１〜１７１６）を有するディジタルミキサ（１）、並びに、それぞれ共通形状のコネクタ（２ｐＤ，３ｑＤ）を有する複数の入力機器（２ｐ）及び複数の出力機器（３ｑ）から成り、ディジタルミキサ（１）の各入力乃至出力コネクタ（１５ｉ，１７ｊ）と各入力機器乃至出力機器（２ｐ，３ｑ）のコネクタ（２ｐＤ，３ｑＤ）との間に接続される通信ケーブル（４，５）を介して、入力機器（２ｐ）から入力コネクタ（１５ｉ）へ或いは出力コネクタ（１７ｊ）から出力機器（３ｑ）へとディジタル音響信号が伝送されるシステムにおいて、ディジタルミキサ（１）は、入力コネクタ（１５ｉ）毎に、ミキサ入力コネクタ番号を表わす番号情報を含むミキサ入力ＩＤ情報（ＩＤｉ；“００”〜“０９”）を発生し、当該入力コネクタ（１５ｉ）に接続される通信ケーブル（４）に出力する入力ＩＤ発生手段（１６ｉ）と、出力コネクタ（１７ｊ）毎に、ミキサ出力コネクタ番号を表わす番号情報を含むミキサ出力ＩＤ情報（ＩＤｊ；“０Ａ”〜“０Ｆ”）を発生し、当該出力コネクタ（１７ｊ）に接続される通信ケーブル（５）に出力する出力ＩＤ発生手段（１８ｊ）とを具備し、各入力機器（２ｐ）は、そのコネクタ（２ｐＤ）について、通信ケーブル（４）を介して機器が接続されている場合は、当該機器からのＩＤ情報を取得し、接続されていない場合には、未接続を表わすＩＤ情報（“１Ｆ”）を取得する第１ＩＤ取得手段と、第１ＩＤ取得手段で取得されたＩＤ情報について、未接続を表わす（ＩＤ＝“１Ｆ”）か否かを判別する第１判別手段（Ｐ１）と、第１判別手段（Ｐ１）により未接続を表わすものでない（ＩＤ≠“１Ｆ”）と判別された（Ｐ１→ＮＯ）ＩＤ情報について、ミキサ入力ＩＤ情報である（ＩＤ＝ＩＤｉ；“００”〜“０９”）か否かを判別する第２判別手段（Ｐ３）と、第１判別手段（Ｐ１）により未接続を表わす（ＩＤ＝“１Ｆ”）と判別されたときに（Ｐ１→ＹＥＳ）未接続である旨を表示し、第２判別手段（Ｐ３）によりミキサ入力ＩＤ情報でない（ＩＤ≠ＩＤｉ）と判別されたときは（Ｐ３→ＮＯ）誤接続である旨を表示し、第２判別手段（Ｐ３）によりミキサ入力ＩＤ情報である（ＩＤ＝ＩＤｉ）と判別されたときには（Ｐ３→ＹＥＳ）当該ミキサ入力ＩＤ情報（ＩＤｉ）に含まれる番号情報に基づいてミキサ入力コネクタ番号を表示する第１表示手段（Ｐ２，Ｐ５，Ｐ４）とを具備し、各出力機器（３ｑ）は、そのコネクタ（３ｑＤ）について、通信ケーブル（５）を介して機器が接続されている場合は、当該機器からのＩＤ情報を取得し、接続されていない場合には、未接続を表わすＩＤ情報（“１Ｆ”）を取得する第２ＩＤ取得手段と、第２ＩＤ取得手段で取得されたＩＤ情報について、未接続を表わす（ＩＤ＝“１Ｆ”）か否かを判別する第３判別手段（Ｑ１）と、第３判別手段（Ｑ１）により未接続を表わすものでない（ＩＤ≠“１Ｆ”）と判別された（Ｑ１→ＮＯ）ＩＤ情報について、ミキサ出力ＩＤ情報である（ＩＤ＝ＩＤｊ；“０Ａ”〜“０Ｆ”）か否かを判別する第４判別手段（Ｑ３）と、第３判別手段（Ｑ１）により未接続を表わす（ＩＤ＝“１Ｆ”）と判別されたときに（Ｑ１→ＹＥＳ）未接続である旨を表示し、第４判別手段（Ｑ３）によりミキサ出力ＩＤ情報でない（ＩＤ≠ＩＤｊ）と判別されたときは（Ｑ３→ＮＯ）誤接続である旨を表示し、第４判別手段（Ｑ３）によりミキサ出力ＩＤ情報である（ＩＤ＝ＩＤｊ）と判別されたときには（Ｑ３→ＹＥＳ）当該ミキサ出力ＩＤ情報（ＩＤｊ）に含まれる番号情報に基づいてミキサ出力コネクタ番号を表示する第２表示手段（Ｑ２，Ｑ５，Ｑ４）とを具備するディジタルミキサ接続確認システム〔請求項１〕が提供される。なお、括弧書きは、理解の便のために付記した実施例の対応する参照記号や数値例等を表わし、以下においても同様である。
また、この発明の別の特徴に従うと、それぞれ共通形状の複数の入力コネクタ（１５ｉ）及び複数の出力コネクタ（１７ｊ）を有するディジタルミキサ（１）、並びに、それぞれ共通形状のコネクタ（２ｐＤ，３ｑＤ）を有する複数の入力機器（２ｐ）及び複数の出力機器（３ｑ）から成り、ディジタルミキサ（１）の各入力乃至出力コネクタ（１５ｉ，１７ｊ）と各入力機器乃至出力機器（２ｐ，３ｑ）のコネクタ（２ｐＤ，３ｑＤ）との間に接続される通信ケーブル（４，５）を介して、入力機器（２ｐ）から入力コネクタ（１５ｉ）へ或いは出力コネクタ（１７ｊ）から出力機器（３ｑ）へとディジタル音響信号が伝送されるシステムにおいて、各入力機器（２ｐ）は、当該入力機器（２ｐ）の機種情報を含む入力機器ＩＤ情報（ＩＤｐ；“１０”）を発生し、そのコネクタ（２ｐＤ）に接続される通信ケーブル（４）に出力する入力機器ＩＤ発生手段（２ｐＥ）を具備し、各出力機器（３ｑ）は、当該出力機器（３ｑ）の機種情報を含む出力機器ＩＤ情報（ＩＤｑ；“１１”）を発生し、そのコネクタ（３ｑＤ）に接続される通信ケーブル（５）に出力する出力機器ＩＤ発生手段（３ｑＥ）を具備し、ディジタルミキサ（１）は、各入力乃至出力コネクタ（１５ｉ，１７ｊ）について、通信ケーブル（４）を介して機器が接続されている場合は、当該機器からのＩＤ情報を取得し、接続されていない場合には、未接続を表わすＩＤ情報（“１Ｆ”）を取得するＩＤ取得手段と、ＩＤ取得手段で取得された各入力乃至出力コネクタ（１５ｉ，１７ｊ）のＩＤ情報について、未接続を表わす（ＩＤ＝“１Ｆ”）か否かを判別する第１判別手段（Ｓ２）と、第１判別手段（Ｓ２）により未接続を表わすものでない（ＩＤ≠“１Ｆ”）と判別された各入力コネクタ（１５ｉ）のＩＤ情報について（Ｓ２・ＮＯ→Ｓ４・ＹＥＳ：ｋ＝１〜１０）、入力機器ＩＤ情報である（ＩＤ＝ＩＤｐ；“１０”）か否かを判別する第２判別手段（Ｓ５）と、第１判別手段（Ｓ２）により未接続を表わすものでない（ＩＤ≠“１Ｆ”）と判別された各出力コネクタ（１７ｊ）のＩＤ情報について（Ｓ２・ＮＯ→Ｓ４・ＮＯ：ｋ＝１１〜１６）、出力機器ＩＤ情報である（ＩＤ＝ＩＤｑ；“１１”）か否かを判別する第３判別手段（Ｓ６）と、第１判別手段（Ｓ２）により未接続を表わす（ＩＤ＝“１Ｆ”）と判別されたときに（Ｓ２→ＹＥＳ）当該入力乃至出力コネクタ（１５ｉ，１７ｊ）が未接続である旨を表示し、第２判別手段（Ｓ５）により入力機器ＩＤ情報でない（ＩＤ≠ＩＤｐ）と判別されたとき（Ｓ５→ＮＯ）、又は、第３判別手段（Ｓ６）により出力機器ＩＤ情報でない（ＩＤ≠ＩＤｑ）と判別されたときは（Ｓ６→ＮＯ）、当該入力又は出力コネクタ（１５ｉ，１７ｊ）が誤接続である旨を表示し、第２判別手段（Ｓ５）により入力機器ＩＤ情報である（ＩＤ＝ＩＤｐ）と判別されたときには（Ｓ５→ＹＥＳ）、当該入力機器ＩＤ情報（ＩＤｐ）に含まれる機種情報に基づいて、当該入力コネクタ（１５ｉ）に接続された入力機器（２ｐ）の機種名乃至機種番号を表示し、第３判別手段（Ｓ６）により出力機器ＩＤ情報である（ＩＤ＝ＩＤｑ）と判別されたときには（Ｓ６→ＹＥＳ）、当該出力機器ＩＤ情報（ＩＤｑ）に含まれる機種情報に基づいて、当該出力コネクタ（１７ｊ）に接続された出力機器（３ｑ）の機種名乃至機種番号を表示する表示手段（Ｓ３，Ｓ８，Ｓ７）とを具備するディジタルミキサ接続確認システム〔請求項２〕が提供される。
【０００７】
〔作用〕
この発明によるディジタルミキサ接続確認システムは、それぞれ共通形状の複数の入力コネクタ（１５ｉ）及び複数の出力コネクタ（１７ｊ）を有するディジタルミキサ（１）、並びに、それぞれ共通形状のコネクタ（２ｐＤ，３ｑＤ）を有する複数の入力機器（２ｐ）及び複数の出力機器（３ｑ）から成り、ディジタルミキサ（１）の各入力乃至出力コネクタ（１５ｉ，１７ｊ）と各入力機器乃至出力機器（２ｐ，３ｑ）のコネクタ（２ｐＤ，３ｑＤ）との間に接続される通信ケーブル（４，５）を介して、入力機器（２ｐ）から入力コネクタ（１５ｉ）へ或いは出力コネクタ（１７ｊ）から出力機器（３ｑ）へとディジタル音響信号が伝送されるシステムに適用される。つまり、この発明は、前述した（１）の場合、すなわち、音響信号入力機器及び音響信号出力機器のコネクタ及び通信ケーブルが共通の形状をもつ場合に、ディジタルミキサ及び音響信号入／出力機器の何れにおいても、ディジタルミキサと音響信号入／出力機器との間の接続状態を確認することができるようにしたものであり、ディジタルミキサ及び複数の音響信号入／出力機器のそれぞれにおいて、各コネクタにＩＤ情報を付け、各コネクタはＩＤ番号の出／入力を行うことができ、各コネクタに入力されたＩＤ情報の判別に基づいてコネクタ接続状態を表示するように構成されている。従って、ディジタルミキサだけでなく、各入出力機器にも、コネクタＩＤ情報の付与及び判別を行うインテリジェント機能をもたせるという簡単な構成を有し、これにより、任意不定に配置されたディジタルミキサ及び複数の入出力機器の何れにおいても接続状態を確認することができ、従って、誤接続をいち速く確実に発見することができる。また、この発明によるディジタルミキサ接続確認システムの少なくとも入出力機器側では、入力されたＩＤ情報から、接続された相手コネクタのコネクタ番号やミキシング処理チャンネル番号のようなコネクタ個別情報を判別し、このコネクタ個別情報に応じた表示を行い、詳細な接続状態をみて接続の妥当性を確認することができる。この発明による作用は次のとおりである。
【０００８】
この発明の１つの特徴によると、上述のようなディジタル音響信号伝送システムにおいて、ディジタルミキサ（１）は、入力ＩＤ発生手段（１６ｉ）により、入力コネクタ（１５ｉ）毎に、ミキサ入力コネクタ番号を表わす番号情報を含むミキサ入力ＩＤ情報（ＩＤｉ；“００”〜“０９”）を発生して、当該入力コネクタ（１５ｉ）に接続される通信ケーブル（４）に出力することができ、また、出力ＩＤ発生手段（１８ｊ）により、出力コネクタ（１７ｊ）毎に、ミキサ出力コネクタ番号を表わす番号情報を含むミキサ出力ＩＤ情報（ＩＤｊ；“０Ａ”〜“０Ｆ”）を発生して、当該出力コネクタ（１７ｊ）に接続される通信ケーブル（５）に出力することができるように構成される。
一方、各入力機器（２ｐ）では、そのコネクタ（２ｐＤ）について、通信ケーブル（４）を介して機器が接続されている場合は、当該機器からのＩＤ情報を取得し、接続されていない場合には、未接続を表わすＩＤ情報（“１Ｆ”）を取得し、取得されたＩＤ情報に基づいてコネクタ（２ｐＤ）の接続状態を判別し（Ｐ１，Ｐ３）、判別された接続状態に応じた表示を行う（Ｐ２，Ｐ５，Ｐ４）。まず、第１判別手段（Ｐ１）で、ＩＤ情報が未接続を表わす（ＩＤ＝“１Ｆ”）か否かを判別し、未接続を表わしていないと（ＩＤ≠“１Ｆ”：Ｐ１→ＮＯ）、さらに、第２判別手段（Ｐ３）で、ミキサ入力ＩＤ情報である（ＩＤ＝ＩＤｉ；“００”〜“０９”）か否かを判別する。そして、ＩＤ情報が未接続を表わしているときは（ＩＤ＝“１Ｆ”：Ｐ１→ＹＥＳ）未接続である旨を表示し（Ｐ２）、ミキサ入力ＩＤ情報でないときは（ＩＤ≠ＩＤｉ：Ｐ３→ＮＯ）誤接続である旨を表示し（Ｐ５）、ミキサ入力ＩＤ情報であるときには（ＩＤ＝ＩＤｉ：Ｐ３→ＹＥＳ）当該ミキサ入力ＩＤ情報（ＩＤｉ）に含まれる番号情報に基づいてミキサ入力コネクタ番号を表示する（Ｐ４）。
さらに、各出力機器（３ｑ）でも、そのコネクタ（３ｑＤ）について、通信ケーブル（５）を介して機器が接続されている場合は、当該機器からのＩＤ情報を取得し、接続されていない場合には、未接続を表わすＩＤ情報（“１Ｆ”）を取得し、取得されたＩＤ情報に基づいてコネクタ（３ｑＤ）の接続状態を判別し（Ｑ１，Ｑ３）、判別された接続状態に応じた表示を行う（Ｑ２，Ｑ５，Ｑ４）。まず、第３判別手段（Ｑ１）で、ＩＤ情報が未接続を表わす（ＩＤ＝“１Ｆ”）か否かを判別し、未接続を表わしていないと（ＩＤ≠“１Ｆ”：Ｑ１→ＮＯ）、さらに、第４判別手段（Ｑ３）で、ミキサ出力ＩＤ情報である（ＩＤ＝ＩＤｊ；“０Ａ”〜“０Ｆ”）か否かを判別する。そして、ＩＤ情報が未接続を表わしているときは（ＩＤ＝“１Ｆ”：Ｑ１→ＹＥＳ）未接続である旨を表示し（Ｑ２）、ミキサ出力ＩＤ情報でないときは（ＩＤ≠ＩＤｊ：Ｑ３→ＮＯ）誤接続である旨を表示し（Ｑ５）、ミキサ出力ＩＤ情報であるときには（ＩＤ＝ＩＤｊ：Ｑ３→ＹＥＳ）当該ミキサ出力ＩＤ情報（ＩＤｊ）に含まれる番号情報に基づいてミキサ出力コネクタ番号を表示する（Ｑ４）。
【０００９】
また、この発明の別の特徴によると、同様のディジタル音響信号伝送システムにおいて、各入力機器（２ｐ）の入力機器ＩＤ発生手段（２ｐＥ）は、当該入力機器（２ｐ）の機種情報を含む入力機器ＩＤ情報（ＩＤｐ；“１０”）を発生し、そのコネクタ（２ｐＤ）に接続される通信ケーブル（４）に出力することができ、各出力機器（３ｑ）の出力機器ＩＤ発生手段（３ｑＥ）は、当該出力機器（３ｑ）の機種情報を含む出力機器ＩＤ情報（ＩＤｑ；“１１”）を発生し、そのコネクタ（３ｑＤ）に接続される通信ケーブル（５）に出力することができるように構成されている。
これに対して、ディジタルミキサ（１）では、各入力乃至出力コネクタ（１５ｉ，１７ｊ）について、通信ケーブル（４）を介して機器が接続されている場合は、当該機器からのＩＤ情報を取得し、接続されていない場合には、未接続を表わすＩＤ情報（“１Ｆ”）を取得し、取得された各入力乃至出力コネクタ（１５ｉ，１７ｊ）のＩＤ情報に基づいて各入力乃至出力コネクタ（１５ｉ，１７ｊ）の接続状態を判別し（Ｐ１，Ｐ３）、判別された接続状態に応じた表示を行う（Ｓ３，Ｓ８，Ｓ７）。まず、第１判別手段（Ｓ２）で、ＩＤ情報が未接続を表わす（ＩＤ＝“１Ｆ”）か否かを判別し、未接続を表わしていないと（ＩＤ≠“１Ｆ”：Ｓ２→ＮＯ）、さらに、第２判別手段（Ｓ５）により、各入力コネクタ（１５ｉ）のＩＤ情報（Ｓ４・ＹＥＳ：ｋ＝１〜１０）が入力機器ＩＤ情報である（ＩＤ＝ＩＤｐ；“１０”）か否かを判別し、第３判別手段（Ｓ６）により、各出力コネクタ（１７ｊ）のＩＤ情報（Ｓ４・ＮＯ：ｋ＝１１〜１６）が出力機器ＩＤ情報である（ＩＤ＝ＩＤｑ；“１１”）か否かを判別する。そして、各入力乃至出力コネクタ（１５ｉ，１７ｊ）のＩＤ情報が未接続を表わしているときは（ＩＤ＝“１Ｆ”：Ｓ２→ＹＥＳ）当該入力乃至出力コネクタ（１５ｉ，１７ｊ）が未接続である旨を表示し（Ｓ３）、各入力コネクタ（１５ｉ）のＩＤ情報が入力機器ＩＤ情報でないとき（ＩＤ≠ＩＤｐ：Ｓ５→ＮＯ）、又は、各出力コネクタ（１７ｊ）のＩＤ情報が出力機器ＩＤ情報でないときは（ＩＤ≠ＩＤｑ：Ｓ６→ＮＯ）、当該入力又は出力コネクタ（１５ｉ，１７ｊ）が誤接続である旨を表示し（Ｓ８）、各入力コネクタ（１５ｉ）のＩＤ情報が入力機器ＩＤ情報であるときは（ＩＤ＝ＩＤｐ：Ｓ５→ＹＥＳ）、当該入力機器ＩＤ情報（ＩＤｐ）に含まれる機種情報に基づいて、当該入力コネクタ（１５ｉ）に接続された入力機器（２ｐ）の機種名乃至機種番号を表示し（Ｓ７）、各出力コネクタ（１７ｊ）のＩＤ情報が出力機器ＩＤ情報であるときは（ＩＤ＝ＩＤｑ：Ｓ６→ＹＥＳ）、当該出力機器ＩＤ情報（ＩＤｑ）に含まれる機種情報に基づいて、当該出力コネクタ（１７ｊ）に接続された出力機器（３ｑ）の機種名乃至機種番号を表示する（Ｓ７）。
【００１０】
【発明の実施の形態】
以下、図面を参照しつつ、この発明の好適な実施例について詳述する。なお、以下の実施例は、単なる一例であって、この発明の精神を逸脱しない範囲で種々の変更が可能である。
【００１１】
〔システムの概略構成〕
図３は、この発明の一実施例によるディジタルミキサ接続確認システムの概略的構成を示すブロック図である。ディジタルミキサ１は、ディジタルミキサの本体をなすミキシング処理部１１、ミキサ内の各部を制御する中央処理装置（ＣＰＵ：Central Processing Unit ）１２、メモリ１３及び表示装置１４を有し、ミキシング処理部１１の複数ｍの入力処理用チャンネル及び複数ｎの出力処理用チャンネルに対応して、複数ｍの入力コネクタ１５１〜１５ｍ及び識別符号（ＩＤ：identification）発生装置１６１〜１６ｍ、並びに、複数ｎの出力コネクタ１７ｍ＋１〜１７ｍ＋ｎ及びＩＤ発生装置１８ｍ＋１〜１８ｍ＋ｎを備える。
【００１２】
各入力コネクタ１５ｉ〔ｉ＝１〜ｍ〕に対応して設けられた各ＩＤ発生装置１６ｉは、各入力コネクタ１５ｉに予め割り当てられたコネクタ独自のＩＤ情報（ＩＤｉ）を発生し、また、各出力コネクタ１７ｊ〔ｊ＝（ｍ＋１）〜（ｍ＋ｎ）〕に対応して設けられた各ＩＤ発生装置１８ｊも、同様に、各出力コネクタ１７ｊに予め割り当てられたコネクタ独自のＩＤ情報（ＩＤｊ）を発生する。
【００１３】
ミキシング処理部１１は、入力コネクタ１５ｉから入力されるディジタル音響信号をミキシング処理し、ミキシング処理されたディジタル音響信号（ＡＵＤＩＯ  ＤＡＴＡｊ）を出力コネクタ１７ｊに出力する。ＣＰＵ１２は、メモリ１３の各種プログラム及び各種データ・テーブル等を用い、操作パネルの操作子による設定操作に応じてミキシング処理部１１やＩＤ発生装置１６ｉを制御すると共に、接続確認処理時には、入／出力コネクタ１５ｉ，１７ｊを介して到来する接続相手のＩＤ情報を読み込み、読み込んだＩＤ情報から接続状態を判別し、表示装置１４を駆動して表示器上に対応する表示を行う。
【００１４】
表示装置１４は、ディジタルミキサ１の操作パネル上に主表示器を備え、ＣＰＵ１２からの表示指令に基づいてこれらの入／出力コネクタ１５ｉ，１７ｊの接続状態を主表示器上に表示すると共に、各入／出力コネクタ１５ｉ，１７ｊ近傍に設けた個別表示器に各コネクタ毎の接続状態を個別的に表示する。なお、表示装置１４には、必要に応じて、音響報知器を付設し、ＣＰＵ１２により判別された接続状態に応じて警報或いは接続情報を機械音や音声によってユーザに報知するようにしてもよい。
【００１５】
これに対して、複数の音響信号入力機器は、それぞれ、ディジタルミキサ１と通信可能なＡＤ変換ユニット（複数台であってもよい）を備え、各ＡＤ変換ユニット２ｐ〔１≦ｐ≦ｍ〕には、図示しない入力処理部で処理された音響信号をＡＤ変換するアナログディジタル変換装置（ＡＤＣ：Analog-to-Digital Converter ）２ｐＡ、ユニット内の各部を制御するＣＰＵ２ｐＢ、表示装置２ｐＣ、出力コネクタ２ｐＤ及びＩＤ発生装置２ｐＥが設けられる。
【００１６】
各ＡＤＣ２ｐＡは、ＡＤ変換したディジタル音響信号（ＡＵＤＩＯ  ＤＡＴＡｐ）を出力コネクタ２ｐＤに出力し、各ＩＤ発生装置２ｐＥは、各出力コネクタ２ｐＤに予め割り当てられたコネクタ独自のＩＤ（ＩＤｐ）を発生する。各出力コネクタ２ｐＤは、ディジタルミキサ１の入力コネクタ１５ｉを介して、ミキシング処理部１１に上述のディジタル音響信号を送り込み、また、相互のＩＤ情報（ＩＤｐ，ＩＤｉ）を授受することができる。各表示装置２ｐＣは、特に、ディジタルミキサ１との接続状態を報知するため設けられ、異常接続時には、強調表示（赤色、点滅等）をさせたり、付設警報器から警報音を発生させることができるようにしてもよい。
【００１７】
また、複数の音響信号出力機器は、それぞれ、ディジタルミキサ１と通信可能なＤＡ変換ユニット（複数台であってもよい）を備え、各ＤＡ変換ユニット３ｑ〔１≦ｑ≦ｎ〕には、入力されるディジタル音響信号をＤＡ変換して図示しない出力処理部に送るディジタルアナログ変換装置（ＤＡＣ：Digital-to-Analog Converter ）３ｑＡ、ユニット内の各部を制御するＣＰＵ３ｑＢ、表示装置３ｑＣ、出力コネクタ３ｑＤ及びＩＤ発生装置３ｑＥが設けられる。
【００１８】
各ＩＤ発生装置３ｑＥは、各入力コネクタ３ｑＤに予め割り当てられたコネクタ独自のＩＤ（ＩＤｑ）を発生する。各入力コネクタ３ｑＤは、ディジタルミキサ１の出力コネクタ１７ｊを介して入力されるディジタル音響信号（ＡＵＤＩＯＤＡＴＡｊ）を各ＤＡＣ３ｑＡに送り込み、また、同出力コネクタ１７ｊとの間で相互のＩＤ情報（ＩＤｑ，ＩＤｊ）を授受することができる。表示装置３ｑＣは、特に、ディジタルミキサ１との接続状態を報知するために設けられ、異常接続時には、強調表示（赤色、点滅等）をさせたり、付設警報器から警報音を発生させることができるようにしてもよい。
【００１９】
ここで、任意のＡＤ変換ユニット２ｐ及びＤＡ変換ユニット３ｑは、ディジタル音響信号を伝送するための光伝送ケーブル等の通信ケーブル４，５を介してディジタルミキサ１の任意の入／出力コネクタ１５ｉ，１７ｉに通信可能に接続することができる。図３は、ディジタルミキサ１に設けられた或る入力コネクタ１５ｉが、ケーブル４を介して、或るＡＤ変換ユニット２ｐの出力コネクタ２ｐＤに接続され、ディジタルミキサ１の或る出力コネクタ１７ｊが、ケーブル５を介して、或るＤＡ変換ユニット３ｑの入力コネクタ３ｑＤに接続されている状態を代表的に例示している。
【００２０】
〔ＩＤテーブル及び接続確認動作〕
ディジタルミキサ１内のＣＰＵ１２は、接続確認処理時に入／出力コネクタ１５ｉ，１７ｊを介して到来するＩＤ情報を解読し、接続状態及び接続相手を判別して所定の表示を行うために、例えば、図４（１）に示されるような“入／出力ＩＤテーブル”を、メモリ１３内に備えている。この“入／出力ＩＤテーブル”において、構成を簡単にするために、ＩＤ情報のＤＡ／ＡＤ変換ユニットの機種情報（第３〜６ビット）を省略し、ＤＡ変換ユニットかＡＤ変換ユニットかを表わす情報（第２ビット）によって接続相手を確認するようにすることができる。なお、入／出力コネクタ１５ｉ，１７ｊがケーブル４，５と結合しておらずプルアップされている未接続状態では、全ビットが“１”つまり“３Ｆ”のＩＤ情報がＣＰＵ１２に入力されるものとする。
【００２１】
従って、ＣＰＵ１２は、ディジタルミキサ１及び変換ユニット２ｐ，３ｑを通信ケーブル４，５により接続して接続確認を行う際、変換ユニット２ｐ，３ｑの出／入力コネクタ２ｐＤ，３ｑＤに対応するＩＤ情報“ＩＤｐ”，“ＩＤｑ”を入／出力コネクタ１５ｉ，１７ｊを介して受けると、このようなＩＤテーブルに基づいて、各入／出力コネクタ１５ｉ，１７ｊ毎に、接続相手の当否を判断し、この判断に対応して表示装置１４に所定の表示をさせることができる。
【００２２】
一方、ＡＤ／ＤＡ変換ユニット２ｐ，３ｑ内のＣＰＵ２ｐＢ，３ｑＢも、出／入力コネクタ２ｐＤ，３ｑＤを介して到来するＩＤ情報を解読し、接続状態及び接続相手を判別して所定の表示を行うためのテーブルを備えている。図４（２）はこのようなテーブルの一例であり、この図の“ミキサコネクタＩＤテーブル”は、ＤＡ、ＡＤ両変換ユニット２ｐ，３ｑに対して共通的に表示されている。各ＣＰＵ２ｐＢ，３ｑＢは、ディジタルミキサ１・変換ユニット２ｐ，３ｑを通信ケーブル４，５にて接続する接続確認の際、ディジタルミキサ１の入／出力コネクタ１５ｉ，１７ｊに対応するＩＤ情報“ＩＤｉ”，“ＩＤｊ”を受けると、この“ミキサコネクタＩＤテーブル”に基づいて接続相手の当否を判断し、この判断に応じて表示装置２ｐＣ，３ｑＣに所定の表示をさせる機能を有している。
【００２３】
この発明では、上述のように、ディジタルミキサ（１）側及び音響信号入／出力機器（２ｐ，３ｑ）側に、それぞれ、ＩＤ発生装置１６ｉ，１８ｊ；２ｐＥ，３ｑＥを設けており、両者が接続されたときに、自身のコネクタに対応するＩＤ情報“ＩＤｉ”，“ＩＤｊ”；“ＩＤｐ”，“ＩＤｑ”を接続相手側に送るように構成されている。従って、ＩＤ情報を受けた側では、ＣＰＵ２ｐＢ，３ｑＢ；１２により、受信ＩＤ情報に基づいて接続状態をチェックすることができる。以下、図３を例にして、〔１〕ディジタルミキサ１側、〔２〕ＡＤ変換ユニット２ｐ側及び〔３〕ＤＡ変換ユニット３ｑ側での各チェック動作をより詳しく説明する。
【００２４】
〔１〕ディジタルミキサ１側では、ＣＰＵ１２は、入力コネクタ１５ｉのｉ＝１から順にｉ＝ｍまで走査し、接続相手から入力コネクタ１５ｉを介して入力されるＩＤ情報（ＩＤｐ）を、図４（１）のような“入／出力ＩＤテーブル”に基づいてこのＩＤ情報（ＩＤｐ）の内容を調べる。この場合、先ず、当該入力コネクタ１５ｉにＡＤ変換ユニット（２ｐ）又はＤＡ変換ユニット（３ｑ）が接続されているかどうか（第１ビット＝０？）を判断し、もし接続されていない場合には、「未接続」である旨を表示装置１４に表示させる。
【００２５】
ＡＤ変換ユニット（２ｐ）又はＤＡ変換ユニット（３ｑ）が接続されている場合には、さらに、当該入力コネクタ１５ｉにＡＤ変換ユニット（２ｐ）が接続されているかどうか（第２ビット＝０？）を判断し、もし接続されていない場合には、「誤接続」である旨のエラー表示を表示装置１４に表示させる。そして、ＡＤ変換ユニット（２ｐ）が接続されている場合には、“入／出力ＩＤテーブル”の機種情報（第３〜６ビット）を参照してＡＤ変換ユニット（２ｐ）の機種情報を「機種名」或いは「番号」で表示する。なお、“入／出力ＩＤテーブル”の機種情報を省略し、単に、ＡＤ変換ユニット（２ｐ）に接続されている旨の表示を行うようにしてもよい。
【００２６】
ＣＰＵ１２は、入力コネクタ１５ｉの走査を終えると、上述した入力コネクタ１５ｉの場合と殆ど同様にして、ＣＰＵ１２は、出力コネクタ１７ｊのｊ＝ｍ＋１から順にｊ＝ｍ＋ｎまで走査し、接続相手から出力コネクタ１７ｊを介して入力されるＩＤ情報（ＩＤｑ）を、図４（１）の“入／出力ＩＤテーブル”に基づいて調べ、所定の表示を行う。入力コネクタ１５ｉの検査時と異なるのは、ＡＤ変換ユニット（２ｐ）又はＤＡ変換ユニット（３ｑ）が接続されていること（第１ビット＝０）を確認した後、当該入力コネクタ１７ｊにＤＡ変換ユニット（３ｑ）が接続されているかどうか（同第２ビット＝１？）を判断する点である。なお、“入／出力ＩＤテーブル”の機種情報による表示を省略し、単に、ＤＡ変換ユニット（３ｑ）に接続されている旨の表示を行うようにしてもよい。
【００２７】
〔２〕ＡＤ変換ユニット２ｐ側では、ＣＰＵ２ｐＢは、出力コネクタ２ｐＤを介して入力されるＩＤ情報（ＩＤｉ）の内容を、図４（２）のような“ミキサコネクタＩＤテーブル”に基づいて調べる。この場合、先ず、当該入力コネクタ２ｐＤにディジタルミキサ１が接続されているかどうか（第１ビット＝０？）を判断し、もし接続されていない場合には、「未接続」である旨を表示装置２ｐＣに表示させる。
【００２８】
ディジタルミキサ１が接続されている場合には、さらに、当該出力コネクタ２ｐＤにディジタルミキサ１の入力コネクタ（１５ｉ）が接続されているかどうか（第２ビット＝０？）を判断し、もし接続されていない場合には、「誤接続」である旨のエラー表示を表示装置２ｐＣに表示させる。そして、ディジタルミキサ１の入力コネクタ（１５ｉ）が接続されている場合には、“ミキサコネクタＩＤテーブル”のコネクタ番号情報（第３〜６ビット）を参照して、ディジタルミキサ１の入力コネクタの「コネクタ番号」、対応するミキシング処理「チャンネル番号」等を表示する。
【００２９】
〔３〕ＤＡ変換ユニット３ｑ側では、ＣＰＵ３ｑＢは、入力コネクタ３ｑＤを介して入力されるＩＤ情報（ＩＤｊ）の内容を図４（２）のような“ミキサコネクタＩＤテーブル”に基づいて調べる。この動作は、〔２〕で説明した動作と同様であり、先ず、当該入力コネクタ３ｑＤにディジタルミキサ１が接続されていない場合（第１ビット＝１）には「未接続」である旨を表示する。次に、当該入力コネクタ３ｑＤにディジタルミキサ１の出力コネクタ（１７ｊ）が接続されていない場合（第２ビット＝０）には「誤接続」のエラー表示を表示装置３ｑＣに表示させて、ディジタルミキサ１の出力コネクタ（１７ｊ）が接続されている場合（第２ビット＝１）には、“ミキサコネクタＩＤテーブル”のコネクタ番号情報（第３〜６ビット）を参照して、ディジタルミキサ１の出力コネクタの「コネクタ番号」、或いは、対応するミキシング処理「チャンネル番号」を表示する。
【００３０】
〔ディジタルミキサの具体的構成及び変換ユニットとの具体的接続構成〕
図５は、ディジタルミキサの具体的構成例を示す内部ブロック図であり、また、図６は、図５のような構成のディジタルミキサと各変換ユニットとの具体的接続例を示す。両図において、図３と同一の参照記号は同一の要素を表わす。図５の具体例では、ディジタルミキサ本体をなすミキシング処理部１１は１０本の入力処理用チャンネルと６本の出力処理用チャンネルを備え、これらの入／出力処理チャンネルに接続される１０個（ｍ＝１０）の入力コネクタ１５１〜１５１０及び６個（ｎ＝６）の出力コネクタ１７１１〜１７１６に対応して、総計１６個のＩＤ発生装置１６１〜１６１０，１８１１〜１８１６が設けられる。
【００３１】
各ＩＤ発生装置１６１〜１６１０，１８１１〜１８１６は、図６右下のＩＤ表に有効５ビットで示されるように、各入／出力コネクタ１５１〜１５１０，１７１１〜１７１６に対応してＩＤ情報“００”〜“０９”（ＩＤｉ），“０Ａ”〜“０Ｆ”（ＩＤｊ）を発生する。ここで、図６右下のＩＤ表は、図４の各ＩＤテーブル例とは若干異なり、ＩＤ情報がやや簡略化されて５ビットになっている。このＩＤ表では、ディジタルミキサコネクタＩＤ情報の上位ビット“０”はディジタルミキサであることを表わし、下位４ビット“０”〜“Ｆ”は入／出力コネクタ番号を表わす。
【００３２】
図６の接続例では、図５のディジタルミキサ１に対して、１０個のＡＤ変換ユニット２１〜２１０の出力コネクタ２１Ｄ〜２１０Ｄがミキサ入力コネクタ１５１〜１５１０に接続され、６個のＤＡ変換ユニット３１〜３６の入力コネクタ３１Ｄ〜３６Ｄがミキサ出力コネクタ１７１１〜１７１６に接続される。各ＡＤ変換ユニット２１〜２１０内のＩＤ発生装置は、右下のＩＤ表に示されるように、ＤＡ変換ユニットであることを表わすＩＤ情報“１０”を発生し、各ＤＡ変換ユニット３１〜３６内のＩＤ発生装置は、ＤＡ変換ユニットであることを表わすＩＤ情報“１１”を発生する。
【００３３】
ディジタルミキサ１側において、ＣＰＵ１２は、入／出力コネクタ１５１〜１５１０，１７１１〜１７１６を順次走査し、ＡＤ／ＤＡ変換ユニット２１〜２１０，３１〜３６からのＩＤ情報（“１０”，“１１”）の内容を、メモリ１３内のＩＤテーブルに基づいて調べ、接続相手の当否を判断し、この判断に対応して表示装置１４に所定の表示をさせ、必要に応じて音響報知を併用する。また、ＡＤ／ＤＡ変換ユニット２１〜２１０，３１〜３６側でも、内部ＣＰＵにより、ディジタルミキサ１の各コネクタからのＩＤ情報（“００”〜“０Ｆ”）を判定し、判定結果を自身の表示装置に表示させる。
【００３４】
〔ミキサ側及びＡＤ／ＤＡ側接続確認処理フロー〕
図７〜図９は、図５及び図６のような構成で、ディジタルミキサとＡＤ／ＤＡ変換ユニットとの間の接続確認を行う場合の処理フローの例を示し、ディジタルミキサ１側では、図７に示されるミキサ側接続確認処理ルーチンが実行され、ＡＤ／ＤＡ変換ユニット２１〜２１０，３１〜３６側では、それぞれ、図８及び図９に示されるＡＤ側接続確認処理ルーチン及びＤＡ側接続確認処理ルーチンが実行される。
【００３５】
なお、これらの処理ルーチンは、ミキサや変換ユニットの夫々の電源をオンして夫々の接続確認スイッチをオンしておけば、各コネクタにケーブルが結合されたか否かに拘わらず、常時、所定時間間隔毎のタイマ割込みにより起動され、また、接続確認スイッチをオフすることにより停止される。停止された場合、最後の確認結果は保存され、表示内容は電源を切らなければ維持されるようになっている。従って、電源再投入時には最後の確認結果を再現することができる。
【００３６】
ディジタルミキサ１側では、ＣＰＵ１２は、図７に示すように、ステップＳ１でコネクタ番号ｋを初期化しｋ＝１として入力コネクタ１５１から入力されるＩＤ情報を取得した後ステップＳ２に進む。ステップＳ２では、当該コネクタで取得したＩＤ情報の内容がＩＤ＝“１Ｆ”であるか否かを判断し、ＩＤ＝“１Ｆ”のとき（コネクタがプルアップされている未接続状態では、全ビットが“１”即ち有効５ビットが“１Ｆ”となる）は、当該入力コネクタにＡＤ変換ユニット又はＤＡ変換ユニットが接続されていないものとみなし、ステップＳ３に進んで、当該入力コネクタが「未接続」状態である旨を表示装置１に表示する処理を行う。また、ＩＤ＝“１Ｆ”でないときはステップＳ４に進む。
【００３７】
ステップＳ４においては、当該コネクタのコネクタ番号ｋが１０以下であるか否かを判断し、ｋ≦１０のときは当該コネクタが入力コネクタであるとしてステップＳ５に進み、そうでないときは当該コネクタが出力コネクタであるとしてステップＳ６に進む。
【００３８】
ステップＳ５においては、ＩＤ＝“１０”であるか否か、すなわち、ＩＤ情報が入力コネクタたる当該コネクタに接続可能なＡＤ変換ユニットであること（“１０”）を表わしているかどうかを判断する。ＩＤ＝“１０”即ちＡＤ変換ユニットが接続されていると判断したときは、ステップＳ７に進んで当該コネクタがＡＤ変換ユニットに接続されている旨の表示を行う。一方、そうでないと判断したときは、当該コネクタがＡＤ変換ユニットに接続されておらず「誤接続」状態である旨のエラー表示を表示装置１４に表示させる。
【００３９】
ステップＳ３、Ｓ７，Ｓ８の後のステップＳ９では、コネクタ番号ｋが１６であるか否か、すなわち、ディジタルミキサ１の全数１６のコネクタを走査し終えたかどうかを判断し、ｋ＝１６のときはミキサ側接続確認処理を終了し、また、ｋ＝１６でないときは、ステップＳ１０でコネクタ番号ｋを１だけインクリメントした上、ステップＳ２に戻り、ステップＳ３〜Ｓ９を介して同様の処理を繰り返す。
【００４０】
この接続確認処理がコネクタ番号ｋ＝１で始まってから何回かの繰返し処理の後コネクタ番号ｋがステップＳ１０でのインクリメントによりｋ＝１０を超えた場合、ステップＳ２で未接続状態ではないと判断されたときは、ステップＳ４からステップＳ６に移行し、当該コネクタが出力コネクタであるとして接続確認処理を進める。
【００４１】
ステップＳ６においては、ＩＤ＝“１１”であるか否か、すなわち、ＩＤ情報が出力コネクタたる当該コネクタに接続可能なＤＡ変換ユニットであること（“１１”）を表わしているかどうかを判断する。ＩＤ＝“１１”即ちＤＡ変換ユニットが接続されていると判断したときは、ステップＳ７に進んで当該コネクタがＤＡ変換ユニットに接続されている旨の表示を行う。一方、そうでないと判断したときは、当該コネクタがＤＡ変換ユニットに接続されておらず「誤接続」状態である旨のエラー表示を表示装置１４に表示させる。
【００４２】
コネクタ番号ｋが１０を超えてから更に何回かの繰返し処理を実行した後、ステップＳ９において、コネクタ番号ｋ＝１６と判断されたときは、ミキサ側接続確認処理ルーチンを終了し、次のタイマ割込みによるこの処理ルーチンの再開を待つ。
【００４３】
なお、図７の処理フロー例では、ステップＳ７において、各入／出力コネクタ１５１〜１５１０，１７１１〜１７１６に単にＤＡ／ＡＤ変換ユニットが接続されている旨表示させるようにしたが、図４（１）のように、各ＤＡ／ＡＤ変換ユニットのＩＤ情報中に夫々の機種情報を含めるようにし、この機種情報を用いてＤＡ／ＡＤ変換ユニットの機種・型式の名前や番号等を表示するようにすれば、さらに、詳細な接続確認を実現することができる。
【００４４】
ＡＤ変換ユニット２１〜２１０側でそれぞれ実行される図８のＡＤ側接続確認処理ルーチンにおいては、まず、ステップＰ１において、当該ＡＤ変換ユニットに入力されたＩＤ情報の内容がＩＤ＝“１Ｆ”であるか否かを判断する。ＩＤ＝“１Ｆ”のときは、当該ＡＤ変換ユニットにディジタルミキサ１が接続されていないものとみなし、ステップＰ２に進んで「未接続」状態である旨を当該ＡＤ変換ユニットの表示装置に表示する処理を行う。また、ＩＤ＝“１Ｆ”でなくディジタルミキサが接続されていると判定されたときはステップＰ３に進む。
【００４５】
ステップＰ３では、ＩＤ情報が“００”〜“０９”の何れかになっているか否か、すなわち、当該ＡＤ変換ユニットの出力コネクタにディジタルミキサ１の入力コネクタ１５１〜１５１０のどれかが接続されているかどうかを判断する。ＩＤ＝“００”〜“０９”であるときはステップＰ４に進んで接続表示処理を行い、そうでないときは、当該ＡＤ変換ユニットが接続されるべきでない箇所（ＤＡ変換ユニットが接続されるべきディジタルミキサ出力コネクタ）に接続されていることになるので、ステップＰ５に進んでミキサ１の入力コネクタに接続されておらず「誤接続」である旨のエラー表示を行う。
【００４６】
ステップＰ４の接続表示処理においては、ＩＤ情報の下位４ビットが表わす入力コネクタ番号情報（“０”〜“９”）に基づいて、当該ＡＤ変換ユニット出力コネクタに接続されているディジタルミキサ１の入力コネクタのコネクタ番号又は対応ミキシング処理チャンネル番号等を表示する。ステップＰ２，Ｐ４，Ｐ５の処理を終えるとＡＤ側接続確認処理を終了し、次のタイマ割込みによるこの処理ルーチンの再開を待つ。
【００４７】
ＤＡ変換ユニット３１〜３６側でそれぞれ実行される図９のＤＡ側接続確認処理ルーチンにおいても、図８の処理と同様に、ステップＱ１において、当該ＤＡ変換ユニットへのＩＤ情報の内容がＩＤ＝“１Ｆ”であるか否かを判断する。ＩＤ＝“１Ｆ”のときは、ステップＱ２に進んで「未接続」状態である旨を当該ＡＤ変換ユニットの表示装置に表示する処理を行う。また、ＩＤ＝“１Ｆ”でなくディジタルミキサが接続されていると判定されたときはステップＱ３に進む。
【００４８】
ステップＱ３では、ＩＤ＝“０Ａ”〜“０Ｆ”であるか否か、すなわち、当該ＤＡ変換ユニットの入力コネクタにディジタルミキサ１の出力コネクタ１７１１〜１７１６が接続されているかどうかを判断し、ＩＤ＝“０Ａ”〜“０Ｆ”であるときはステップＱ４に進んで接続表示処理を行い、そうでないときは、ステップＱ５に進んでミキサ１の入力コネクタに接続されておらず「誤接続」である旨のエラー表示を行う。
【００４９】
ステップＱ４の接続表示処理においては、ＩＤ情報の下位４ビットが表わす出力コネクタ番号情報（“Ａ”〜“Ｆ”）に基づいて、当該ＤＡ変換ユニット入力コネクタに接続されているディジタルミキサ１の出力コネクタのコネクタ番号又は対応ミキシング処理チャンネル番号等を表示する。テップＱ２，Ｑ４，Ｑ５の処理を終えるとＤＡ側接続確認処理を終了し、次のタイマ割込みによるこの処理ルーチンの再開を待つ。
【００５０】
【発明の効果】
以上説明したように、この発明では、共通形状を有するディジタルミキサの複数のコネクタと複数の入出力機器のコネクタとの間で通信ケーブルを介しディジタル音響信号を伝送するシステムにおいて、ディジタルミキサ及び入出力機器のそれぞれで、コネクタ毎にＩＤ情報を発生し、コネクタ毎に自身のＩＤ情報及び接続相手のＩＤ情報の出入力を可能とし、入力されたＩＤ情報に基づいて判別された当該コネクタの接続状態に応じた表示を行うようにしているので、任意不定に配置されたディジタルミキサ及び複数の入出力機器の何れにおいても接続状態を確認することができ、誤接続をいち速く確実に発見することができるという顕著な効果を奏する。
【００５１】
この発明では、さらに、入力されたＩＤ情報から接続相手のコネクタ個別情報を判別するようにしているので、接続された相手コネクタのコネクタ番号やミキシング処理チャンネル番号のようなコネクタ個別情報に応じた表示により、詳細な接続状態をみて接続の妥当性を確認することができるという効果を奏する。
【図面の簡単な説明】
【図１】図１は、この発明を適用することができる音響信号処理システムの一例を示す図である。
【図２】図２は、従来のディジタルミキサ接続態様を示す図である。
【図３】図３は、この発明の一実施例によるディジタルミキサ接続確認システムの概略的構成を示すブロック図である。
【図４】図４は、この発明の一実施例によるディジタル接続確認システムに適用されるＩＤテーブル例を示す図であり、（１）はミキサ側の入／出力ＩＤテーブルを示し、（２）は変換ユニット側のミキサコネクタＩＤテーブルを示す。
【図５】図５は、この発明の一実施例におけるディジタルミキサのより詳細な具体的構成例を示す内部ブロック図である。
【図６】図６は、この発明の一実施例におけるディジタルミキサと各変換ユニットとの具体的接続例を示す図である。
【図７】図７は、この発明の一実施例においてディジタルミキサで実行されるミキサ側接続確認処理フローを示す図である。
【図８】図８は、この発明の一実施例においてＡＤ変換ユニットで実行されるＡＤ側接続確認処理フローを示す図である。
【図９】図９は、この発明の一実施例においてＤＡ変換ユニットで実行されるＤＡ側接続確認処理フローを示す図である。
【符号の説明】
１  ディジタルミキサ、
１１  ディジタルミキサ本体（ミキシング処理部）、
１５ｉ  第ｉ番目〔ｉ＝１〜ｍ〕のディジタルミキサ側入力コネクタ、
ＩＤｉ  ディジタルミキサ側入力コネクタＩＤ情報、
１５１〜１５１０  １０個（ｍ＝１０）のディジタルミキサ側入力コネクタ、
１７ｊ  第ｊ番目〔ｊ＝（ｍ＋１）〜（ｍ＋ｎ）〕のディジタルミキサ側出力コネクタ、
ＩＤｊ  ディジタルミキサ側出力コネクタＩＤ情報、
１７１１〜１７１６  ６個（ｎ＝６）のディジタルミキサ側出力コネクタ、
２ｐＤ  第ｐ番目（ｐ＝１〜ｍ）のＡＤ変換ユニット２ｐの出力コネクタ、
ＩＤｐ  ＡＤ変換ユニットＩＤ情報、
２１Ｄ〜２１０Ｄ  ＡＤ変換ユニット２１〜２１０の各出力コネクタ、
３ｑＤ  第ｑ番目（ｑ＝１〜ｎ）のＤＡ変換ユニット３ｑの入力コネクタ、
ＩＤｑ  ＤＡ変換ユニットＩＤ情報、
３１Ｄ〜３６Ｄ  ＤＡ変換ユニット３１〜３６の各入力コネクタ。
【図１】
0004055879.tif 000002
【図２】
0004055879.tif 000003
【図３】
0004055879.tif 000004
【図４】
0004055879.tif 000005
【図５】
0004055879.tif 000006
【図６】
0004055879.tif 000007
【図７】
0004055879.tif 000008
【図８】
0004055879.tif 000009
【図９】
0004055879.tif 000010